(57)【要約】      （修正有）【課題】手術室の処置を支援し、教育を強化する装置を提供する。【解決手段】無線ルーペの利用方法が、無線ルーペを装着するステップと、無線ルーペのディスプレイ上に患者情報を表示するステップと、無線ルーペを装着した状態で処置を行うステップとを含む。無線ルーペは、無線ルーペレンズを通じて取得された情報と患者情報とを含む信号を外部装置に自動的に送信するように構成される。この方法は、この信号を教育目的で表示するステップをさらに含む。【選択図】図４
2014104365.tif 000002
【特許請求の範囲】
【請求項１】
無線ルーペの利用方法であって、
ａ．前記無線ルーペを装着するステップと、
ｂ．前記無線ルーペのディスプレイ上に患者情報を表示するステップと、
ｃ．前記無線ルーペを装着した状態で処置を行うステップと、
を含むことを特徴とする方法。
【請求項２】
前記無線ルーペは、無線ルーペレンズを通じて取得された情報と前記患者情報とを含む信号を外部装置に自動的に送信するように構成される、
ことを特徴とする請求項１に記載の方法。
【請求項３】
前記信号を教育目的で表示するステップをさらに含む、
ことを特徴とする請求項２に記載の方法。
【請求項４】
無線ルーペの利用方法であって、
ａ．前記無線ルーペにおいてコンテンツの取得及び受け取りを行うステップと、
ｂ．前記コンテンツを無線ルーペディスプレイ上に表示するステップと、
ｃ．前記コンテンツを画像処理システムに送信するステップと、
ｄ．前記画像処理システムから前記コンテンツを配布するステップと、
を含むことを特徴とする方法。
【請求項５】
前記コンテンツは、レンズを通じて取得された取得コンテンツ及び別の医療装置から受け取られた受信コンテンツを含む、
ことを特徴とする請求項４に記載の方法。
【請求項６】
前記コンテンツの取得は、対象者の信号を受け取るステップを含む、
ことを特徴とする請求項４に記載の方法。
【請求項７】
前記コンテンツの受け取りは、１又はそれ以上のモニタ装置からモニタ情報を受け取るステップを含む、
ことを特徴とする請求項４に記載の方法。
【請求項８】
前記モニタ情報は、前記無線ルーペディスプレイ上に表示される、
ことを特徴とする請求項７に記載の方法。
【請求項９】
前記モニタ情報は、患者統計を含む、
ことを特徴とする請求項７に記載の方法。
【請求項１０】
前記コンテンツの取得は、ハーフミラーを使用して前記コンテンツを分割するステップを含み、前記コンテンツの第１の部分は、人が視認可能であり、前記コンテンツの第２の部分は、センサにより捕捉される、
ことを特徴とする請求項４に記載の方法。
【請求項１１】
前記コンテンツの受け取りは、医療装置から受け取ったコンテンツを表示するステップと、ハーフミラーを使用して前記コンテンツを分割するステップとを含み、前記コンテンツの第１の部分は、人が視認可能であり、前記コンテンツの第２の部分は、センサにより捕捉される、
ことを特徴とする請求項４に記載の方法。
【請求項１２】
前記画像処理システムは、前記コンテンツを記録する、
ことを特徴とする請求項４に記載の方法。
【請求項１３】
前記送信するステップは、無線で行われる、
ことを特徴とする請求項４に記載の方法。
【請求項１４】
前記コンテンツを配布するステップは、前記コンテンツを教育目的でスクリーンに送るステップを含む、
ことを特徴とする請求項４に記載の方法。
【請求項１５】
無線ルーペ装置であって、
ａ．レンズと、
ｂ．前記レンズから受け取った情報を第１の部分と第２の部分に分割して、前記第１の部分がユーザの眼の方に進み、前記第２の部分がセンサの方に進むようにするハーフミラーと、
ｃ．前記センサにおいて取得した情報を送信するための無線通信要素と、
を備えることを特徴とする無線ルーペ装置。
【請求項１６】
前記ハーフミラーは、半透明ミラー技術を含む、
ことを特徴とする請求項１５に記載の無線ルーペ装置。
【請求項１７】
ディスプレイ上の患者情報を投影するための投影系をさらに備え、前記患者情報は、前記ハーフミラーにより分割されて、前記ユーザの眼の方に反射されるとともに前記センサにおいて受け取られる、
ことを特徴とする請求項１５に記載の無線ルーペ装置。
【請求項１８】
無線ルーペシステムであって、
ａ．第１のコンテンツを取得し、第２のコンテンツを受け取って、前記第１のコンテンツ及び前記第２のコンテンツを送信するための無線ルーペ装置を備え、前記第１のコンテンツは、前記無線ルーペ装置のレンズを通じて受け取られた情報を含み、前記第２のコンテンツは、１又はそれ以上のモニタ装置からの患者情報を含み、前記無線ルーペシステムは、
ｂ．前記第１のコンテンツ及び前記第２のコンテンツを受け取るための結像系をさらに備える、
ことを特徴とする無線ルーペシステム。
【請求項１９】
前記結像系は、前記第１のコンテンツ及び前記第２のコンテンツをさらに処理して記憶する、
ことを特徴とする請求項１８に記載の無線ルーペシステム。
【請求項２０】
前記第１のコンテンツ及び前記第２のコンテンツを医療記録装置に配布するための内部ネットワークをさらに備える、
ことを特徴とする請求項１８に記載の無線ルーペシステム。
【請求項２１】
前記第１のコンテンツ及び前記第２のコンテンツを１又はそれ以上の外部スクリーンに配布するための外部ネットワークをさらに備える、
ことを特徴とする請求項１８に記載の無線ルーペシステム。
【請求項２２】
前記無線ルーペ装置は、レンズ越しのビュー及び前記患者情報を表示する、
ことを特徴とする請求項１８に記載の無線ルーペシステム。
【発明の詳細な説明】
【技術分野】
【０００１】
本発明は、医療装置の分野に関する。より具体的には、本発明は、手術用ルーペに関する。
【背景技術】
【０００２】
多くの外科専門医は、一般に、繊細な構造に外科手術を施す際にはルーペを使用する。外科医が使用するルーペは、眼鏡のレンズに取り付けられ、外科医の矯正視力、瞳孔間距離及び望ましい焦点距離を考慮して、個々の外科医に合わせて特注される。ルーペによっては、頭部に装着されたヘルメット又はその他の装置に取り付けられるものもある。複数の倍率が利用可能である。これらのルーペは、美容整形手術、整形外科手術、微小血管手術及び腱修復手術において最も多く使用される。
【発明の概要】
【課題を解決するための手段】
【０００３】
手術用無線ルーペにより、ユーザは、この無線ルーペを使用して処置を行い、無線ルーペにより取得された情報を送信し、無線ルーペディスプレイ上に患者情報を表示することができる。送信された情報は、手術室の処置を支援し、教育を強化するために使用でき、後で使用できるように記録することもできる。
【０００４】
１つの態様では、無線ルーペの利用方法が、無線ルーペを装着するステップと、無線ルーペのディスプレイ上に患者情報を表示するステップと、無線ルーペを装着した状態で処置を行うステップとを含む。無線ルーペは、無線ルーペレンズを通じて取得された情報と患者情報とを含む信号を外部装置に自動的に送信するように構成される。この方法は、この信号を教育目的で表示するステップをさらに含む。
【０００５】
別の態様では、無線ルーペの利用方法が、無線ルーペにおいてコンテンツの取得及び受け取りを行うステップと、このコンテンツを無線ルーペディスプレイ上に表示するステップと、このコンテンツを画像処理装置に送信するステップと、画像処理装置からコンテンツを配布するステップとを含む。コンテンツは、レンズを通じて取得された取得コンテンツ及び別の医療機器から受け取った受信コンテンツを含む。コンテンツの取得は、対象者の信号を受け取るステップを含む。コンテンツの受け取りは、１又はそれ以上のモニタ装置からモニタ情報を受け取るステップを含む。このモニタ情報は、無線ルーペディスプレイ上に表示される。モニタ情報は、患者統計を含む。コンテンツの取得は、ハーフミラーを使用してコンテンツを分割するステップを含み、コンテンツの第１の部分は、人が視認可能であり、コンテンツの第２の部分は、センサにより捕捉される。コンテンツの受け取りは、医療装置から受け取ったコンテンツを表示するステップと、ハーフミラーを使用してコンテンツを分割するステップとを含み、コンテンツの第１の部分は、人が視認可能であり、コンテンツの第２の部分は、センサにより捕捉される。画像処理システムは、コンテンツを記録する。送信するステップは、無線で行われる。コンテンツを配布するステップは、コンテンツを教育目的でスクリーンに送るステップを含む。
【０００６】
別の態様では、無線ルーペ装置が、レンズと、レンズから受け取った情報を第１の部分と第２の部分に分割するハーフミラーとを備え、第１の部分は、ユーザの眼の方に進み、第２の部分は、センサ、及びセンサにおいて取得された情報を送信するための無線通信要素の方に進む。ハーフミラーは、半透明ミラー技術を含む。無線ルーペ装置は、ハーフミラーにより分割されて、ユーザの眼の方に反射されるとともにセンサにおいて受け取られる患者情報をディスプレイ上に投影するための投影系をさらに備える。
【０００７】
別の態様では、無線ルーペシステムが、第１のコンテンツを取得し、第２のコンテンツを受け取って、第１のコンテンツ及び第２のコンテンツを送信するための無線ルーペ装置を備え、第１のコンテンツは、無線ルーペ装置のレンズを介して受け取られた情報を含み、第２のコンテンツは、１又はそれ以上のモニタ装置からの患者情報を含み、無線ルーペシステムは、第１のコンテンツ及び第２のコンテンツを受け取るための結像系をさらに備える。結像系は、第１のコンテンツ及び第２のコンテンツをさらに処理して記憶する。無線ルーペシステムは、第１のコンテンツ及び第２のコンテンツを医療記録装置に配布するための内部ネットワークをさらに備える。無線ルーペシステムは、第１のコンテンツ及び第２のコンテンツを１又はそれ以上の外部スクリーンに配布するための外部ネットワークをさらに備える。無線ルーペ装置は、レンズ越しのビュー及び患者情報を表示する。
【図面の簡単な説明】
【０００８】
【図１】いくつかの実施形態による、医師が手術用無線ルーペを装着している手術室を示す図である。
【図２】いくつかの実施形態による、手術用無線ルーペとアプリケーションの協調を示す図である。
【図３】いくつかの実施形態による例示的な無線ルーペシステムを示す図である。
【図４】いくつかの実施形態による手術用無線ルーペシステムを示す図である。
【図５】いくつかの実施形態による無線ルーペの複数の図である。
【図６】いくつかの実施形態による無線ルーペの構成要素の図である。
【図７】いくつかの実施形態による無線ルーペシステムのパッケージを示す図である。
【図８】いくつかの実施形態による、手術室内の無線ルーペシステムの図である。
【図９】いくつかの実施形態による、無線ルーペ法を実施するように構成された例示的なコンピュータ装置のブロック図である。
【図１０】いくつかの実施形態による、手術用無線ルーペの利用方法を示すフロー図である。
【図１１】いくつかの実施形態による、手術用無線ルーペの利用方法を示すフロー図である。
【発明を実施するための形態】
【０００９】
手術用無線ルーペは、光学ルーペのデジタル版である。手術用ルーペは、デジタル技術を加えることにより、医師の「レンズ越し」の画像を取り込んで、手術室の他の人々又は遠隔位置に送信できるようになる。患者関連情報を利用して、患者記録又は病院記録のために処置を記録することもできる。この手術用無線ルーペは、遠隔治療、遠隔教育及びトレーニングも可能にする。手術室内の人々にとっては、これによりさらに効率を高めることができ、或いはチームとして医師のニーズをより良く予測して、器具の汚染をより良く抑えることができるようになる。手術室で停電が起きた場合、それでも光の７０％が通過するので、このルーペは機能し続ける。
【００１０】
図１に、いくつかの実施形態による、医師が手術用無線ルーペを装着している手術室を示す。
【００１１】
図２には、いくつかの実施形態による、手術用無線ルーペとアプリケーションの協調を示す。手術室２００では、外科医が手術用無線ルーペを使用して処置を行う。手術用無線ルーペから受け取られた情報は、医療プラットフォーム２０２に送信される。医療プラットフォーム２０２は、データを記憶するためのサーバ、データを表示するためのモニタ、及びデータを受け取るための遠隔コンピュータ（デスクトップ及びスマートフォンなど）を含む。このデータは、教育及びトレーニング２０４、遠隔治療２０６、患者記録及び請求書作成２０８、及び予防２１０に使用することができる。
【００１２】
図３に、いくつかの実施形態による例示的な無線ルーペシステムを示す。Ｉ／Ｏ装置３００は、カメラ、モニタ、テレビ、プリンタ及びビデオレコーダを含む。コンピュータ装置３０２は、サーバ、コンピュータ装置及びネットワーク（クラウドなど）を含む。Ｉ／Ｏ装置３００及びコンピュータ装置３０２を無線ルーペ１００に組み合わせた場合、無線ルーペシステム３０４は、手術室及びその他の医療分野の側面を改善することができる。
【００１３】
手術用無線ルーペは、顕微鏡のセットアップを排除すること、及び次の行動を予測することによって助手の効率を最大化することにより、手術室のセットアップ及びワークフローを単純化する。必要な時、及び必要な場所での記録手順が可能になる。遠隔治療及び遠隔トレーニングが可能になる。（患者記録にビデオを含めることなどの）業務拡張も可能である。生徒の手術をモニタし、事例研究を見直して手術計画を行うことにより、教育環境も改善される。
【００１４】
対象となる外科分野は、神経外科、整形外科、心臓血管外科、耳鼻咽喉科及びその他全てである。この手術用無線ルーペは、（血管を濾過して目立たせること、疑わしい組織を強調することなどの）画像強化を行い、画像融合及び定位手術を可能にし、（ビュー内に生体兆候が重なることなどの）認知的負荷を低減し、誤り率を低減することができる。
【００１５】
図４は、いくつかの実施形態による手術用無線ルーペシステムを示す図である。手術用無線ルーペシステム４００は、無線ルーペ１００、画像処理システム４２０、保管システム４２６及び外部システム４２８を含む。無線ルーペ１００は、レンズ４０２、光学結像系４０４、イメージャ４０６、ハーフミラー４０８、ディスプレイ装置４１０及び投影光学系４１２を含む。
【００１６】
レンズ４０２は、いずれの種類のレンズであってもよい。いくつかの実施形態では、無線ルーペ１００が、（外科医のそれぞれの眼に１つずつなどの）複数のレンズを含む。この１又はそれ以上のレンズ４０２を通じて光が受光され、この光の大部分が、ハーフミラー４０８を通過して外科医の眼に届く。いくつかの実施形態では、光の７０％又はそれ以上がハーフミラー４０８を通過して外科医の眼に届く。残りの光は、ハーフミラー４０８により反射されて結像光学系４０４に至り、この結像光学系４０４によりイメージャ４０６に向けられる。結像光学系４０４は、イメージャ４０６上に光を合焦するための１又はそれ以上のレンズを含むことができる。イメージャ４０６は、この光を捕捉する。この捕捉した情報を画像処理システム４２０に無線で送信して、外部スクリーン上に表示し、医療記録データベースに記憶し、又は別様に使用することができる。
【００１７】
ディスプレイ装置４１０は、生体情報などの、他の医療機器からの患者データ４５２を受け取る。患者データ４５２は、無線で受け取ることができる。患者データ４５２は、心臓モニタ、血圧モニタ及びその他のいずれかの装置などの他の装置から受け取ることができる。投影光学系４１２は、この患者情報をハーフミラー４０８に投影し、ハーフミラー４０８は、この投影の一部を外科医の眼に向け、投影の別の部分を結像光学系４０４及びイメージャ４０６に向けて、捕捉及び送信されて記録され又は外部スクリーン上に表示されるようにする。ヘッドアップディスプレイを使用することなどにより、この患者情報をレンズ越しのビュー４５０内に表示することができる。ビュー４５０は、（生体兆候などの）患者データ４５２、追加画像４５４及びレンズ越しのビュー４５６を含む。
【００１８】
イメージャ４０６により取得され、画像処理システム４２０に無線で送信された情報は、内部ネットワーク４２２を介して保管装置４２４に、及び／又は外部ネットワーク４２６を介して病院装置４２８に送信することができる。
【００１９】
図５に、いくつかの実施形態による無線ルーペの複数の図を示す。これらの図は、左面図、右面図、上面図、正面図及び透視図を含む。無線ルーペは、いずれのサイズであってもよいが、寸法が１００ｍｍ×１５０ｍｍ×４５ｍｍのルーペを具体的に示している。
【００２０】
図６に、いくつかの実施形態による無線ルーペの構成要素の図を示す。無線ルーペ１００は、レンズ、記録用光学素子４０４（光学結像系とも呼ばれる）、画像センサ４０６、ハーフミラー４０８、ディスプレイ装置４１０、表示用光学センサ４１２（投影光学系とも呼ばれる）、ＤＡ／変換ＰＷＢ４１４、無線アンテナ／ＰＷＢ４１６及びバッテリ４１８を含む。レンズ４０２は、いずれの種類のレンズであってもよく、例えば、レンズ４０２は、信号を増幅するための４組の凸レンズ及び凹レンズを含む。いくつかの実施形態では、レンズ４０２の倍率が固定され、いくつかの実施形態では、倍率が可変である。この信号は、ハーフミラー４０８を通過して、（外科医などの）操作者に見えるように（例えば、手術処置を行えるように）なる。分割された信号は、記録用光学素子４０４及び画像センサ４０６によって受け取られる。その後、この記録された信号を、無線アンテナ４１６によって送信することができる。ディスプレイ装置４１０及び表示用光学センサ４１２は、無線ルーペ１００の操作者に患者データ（生体兆候など）を送るために使用される。いくつかの実施形態では、無線ルーペ１００が、モニタ装置から無線で患者データを受け取る。
【００２１】
ハーフミラー４０８は、ポリカーボネート膜、スパッタリングコーティング技術及び／又は多層コーティングを利用した半透明ミラー技術などのいずれのハーフミラーであってもよい。画像センサ４０６は、背面照射ＣＭＯＳなどのいずれのセンサであってもよい。
【００２２】
図７に、いくつかの実施形態による無線ルーペシステムのパッケージを示す。手術室パッケージ７００では、ＨＤビデオカメラ、モニタ、テレビ、インターネット、ＨＤビデオレコーダ及びｗｉ−ｆｉと共に単一の無線ルーペが使用される。ティーチングホスピタルパッケージ７０２では、モニタ、テレビ、クラウドコンピュータ、プロジェクタ、デジタルカラープリンタ、ＨＤビデオレコーダ及びｗｉ−ｆｉと共に２又はそれ以上の無線ルーペが使用される。
【００２３】
図８に、いくつかの実施形態による、手術室内の無線ルーペシステムの図を示す。例えば、無線ルーペシステム８００は、無線ルーペ１００、ＨＤビデオカメラ８０２、ＨＤビデオレコーダ８０４、デジタルカラープリンタ８０６、システムマネージャ装置８０８、２つの医療グレードＬＣＤモニタ８０１及び遠隔治療スーツ８１２を含み、これらは全て、ｗｉ−ｆｉ８１４又はその他のいずれかの無線通信を使用して通信することができる。
【００２４】
図９は、いくつかの実施形態による、無線ルーペ法を実施するように構成された例示的なコンピュータ装置９００のブロック図である。コンピュータ装置９００は、画像、ビデオ及び患者データなどの情報を取得し、記憶し、計算し、処理し、通信し、及び／又は表示するために使用することができる。一般に、コンピュータ装置９００を実現するのに適したハードウェア構造は、ネットワークインターフェイス９０２、メモリ９０４、プロセッサ９０６、（単複の）Ｉ／Ｏ装置９０８、バス９１０、及び記憶装置９１２を含む。十分な速度の好適なプロセッサを選択する限り、プロセッサの選択は重要ではない。メモリ９０４は、当業で公知のいずれの従来のコンピュータメモリであってもよい。記憶装置９１２は、ハードドライブ、ＣＤＲＯＭ、ＣＤＲＷ、ＤＶＤ、ＤＶＤＲＷ、フラッシュメモリカード、又はその他のあらゆる記憶装置を含むことができる。コンピュータ装置９００は、１又はそれ以上のネットワークインターフェイス９０２を含むことができる。ネットワークインターフェイスの例には、イーサネット（登録商標）又はその他の種類のＬＡＮに接続されたネットワークカードがある。（単複の）Ｉ／Ｏ装置９０８は、キーボード、マウス、モニタ、画面、プリンタ、モデム、タッチ画面、ボタンインターフェイス、及びその他の装置のうちの１又はそれ以上を含むことができる。無線ルーペ法を実施するために使用される（単複の）無線ルーペアプリケーション９３０は、記憶装置９１２及びメモリ９０４に記憶されて、アプリケーションが通常処理されるように処理されることが多い。コンピュータ装置９００には、図９に示すものよりも多くの又は少ない構成要素を含めることができる。いくつかの実施形態では、無線ルーペハードウェア９２０が含まれる。図９のコンピュータ装置９００は、無線ルーペのためのアプリケーション９３０及びハードウェア９２０を含むが、この無線ルーペ法を、ハードウェア、ファームウェア、ソフトウェア又はこれらのあらゆる組み合わせでコンピュータ装置上に実装することもできる。例えば、いくつかの実施形態では、無線ルーペアプリケーション９３０がメモリにプログラムされ、プロセッサを使用して実行される。別の例として、いくつかの実施形態では、無線ルーペハードウェア９２０が、無線ルーペ法を実施するように特別に設計されたゲートを含むプログラムされたハードウェアロジックである。
【００２５】
いくつかの実施形態では、（単複の）無線ルーペアプリケーション９３０が、複数のアプリケーション及び／又はモジュールを含む。いくつかの実施形態では、モジュールが、１又はそれ以上のサブモジュールも含む。いくつかの実施形態では、より少ない又はさらなるモジュールを含めることができる。
【００２６】
好適なコンピュータ装置の例としては、パーソナルコンピュータ、ラップトップコンピュータ、コンピュータワークステーション、サーバ、メインフレームコンピュータ、ハンドヘルドコンピュータ、携帯情報端末、セルラ／携帯電話機、スマート家電、ゲーム機、デジタルカメラ、デジタルカムコーダ、カメラ付き電話機、スマートフォン、ポータブル音楽プレーヤ、タブレットコンピュータ、モバイル装置、ビデオプレーヤ、ビデオディスクライタ／プレーヤ（ＤＶＤライタ／プレーヤ、Ｂｌｕ−ｒａｙ（登録商標）ライタ／プレーヤなど）、テレビ、家庭用エンターテイメントシステム、又はその他のあらゆる好適なコンピュータ装置が挙げられる。
【００２７】
図１０は、いくつかの実施形態による、手術用無線ルーペの利用方法のフロー図である。ステップ１０００において、ユーザ（外科医など）が、手術用無線ルーペを装着する。ステップ１００２において、ユーザは、無線ルーペを装着した状態で処置（手術など）を行う。処置中、無線ルーペディスプレイを使用して、患者の生体情報などの情報が外科医に表示される。例えば、レンズを通じて受け取られた情報が、ハーフミラーを通過して外科医の眼に届き、この情報は、イメージャの方にも反射されて取得される。また、ディスプレイ上に患者情報も表示され、この情報がハーフミラーにより外科医の眼に向けて反射されるとともに、イメージャで受け取られて取得される。ステップ１００４において、無線ルーペから信号を送信する。この信号は、画像処理システム及び／又はその他のいずれかの装置に送信することができる。ステップ１００６において、この信号を教育目的で表示する。いくつかの実施形態では、これよりも少ない又はさらなるステップが実行される。いくつかの実施形態では、ステップの順序を変更することができる。
【００２８】
図１１は、いくつかの実施形態による、手術用無線ルーペの利用方法のフロー図である。ステップ１１００において、手術用無線ルーペにおいてコンテンツの取得及び受け取りを行う。コンテンツの取得は、（患者などの）対象者を表示する信号を受け取ることを含む。いくつかの実施形態では、コンテンツの取得が、光がレンズを通過してハーフミラーで分割され、この光の大半がユーザの眼の方に直接進み、残りの光をセンサにおいて取得することを含む。いくつかの実施形態では、コンテンツの受け取りが、（血圧モニタなどの）モニタ装置から情報を受け取り、コンテンツがディスプレイ上に表示され、この表示された情報がハーフミラーにより分割され、表示された情報の一部がユーザの眼の方に進み、表示された情報の一部がセンサの方に進んでこれを取得することを含む。ステップ１１０２において、ユーザがコンテンツを見る。例えば、ユーザがレンズを通じて対象者を見ることができる一方で、無線ルーペディスプレイ上には患者統計が表示される。ステップ１１０４において、取得したコンテンツ及び受け取ったコンテンツ（レンズを通じて取得されたコンテンツ、及びさらなる装置により受け取られたコンテンツなど）を、画像処理システム又は別の装置に無線で送信する。例えば、ユーザが無線ルーペを通じて見ているシーンを、画像及び／又はビデオとして画像処理システムに記録する。いくつかの実施形態では、記録され見られたコンテンツと共に患者統計も記録される。ステップ１１０６で、コンテンツを配布する。例えば、コンテンツは、他の画面又はモニタに教育目的で、ユーザのファイルと共に記憶すべく記録されるように、及びその他のいずれかの目的で送信される。いくつかの実施形態では、これよりも少ない又はさらなるステップが実行される。いくつかの実施形態では、ステップの順序を変更することができる。
【００２９】
いくつかの実施形態では、手術用無線ルーペが、２Ｄ及び／又は３Ｄディスプレイ、オートフォーカス及びズーム、並びに頭部装着可能オプションなどの特徴を含む。各レンズは、情報を別々に取り込むことができるので、２つの画像を同時に取得し、これらの画像を使用して３Ｄ画像を生成することができる。
【００３０】
手術用無線ルーペを利用するには、ユーザがルーペを装着し、このルーペが、記録すべき情報を送受信する。ユーザがルーペを装着している間に、自動的に処理が行われる。
【００３１】
動作中、この手術用無線ルーペは、外科医などのユーザが処置を行うとともに、この処置を教育目的、保存目的及び／又はその他のいずれかの目的で記録できるようにする。この無線ルーペは、患者情報及び／又はその他のいずれかの情報を外科医に表示して、外科医がより容易に患者を追跡できるようにもする。手術用無線ルーペシステムは、手術のビデオなどの情報を配布して、他者が遠隔的に処置を確認し、又は情報を記録できるようにする。光の７０％がハーフミラーを通過して外科医まで届くので、停電が起きた場合でも、外科医は処置を実行し続けることができる。
【００３２】
無線外科ルーペのいくつかの実施形態
１．無線ルーペの利用方法であって、
ａ．無線ルーペを装着するステップと、
ｂ．無線ルーペディスプレイに患者情報を表示するステップと、
ｃ．無線ルーペを装着した状態で処置を行うステップと、を含む方法。
２．条項１の方法において、無線ルーペは、無線ルーペレンズを通じて取得された情報と患者情報とを含む信号を外部装置に自動的に送信するように構成される。
３．条項２の方法は、信号を教育目的で表示するステップをさらに含む。
４．無線ルーペの利用方法であって、
ａ．無線ルーペにおいてコンテンツの取得及び受け取りを行うステップと、
ｂ．コンテンツを無線ルーペディスプレイ上に表示するステップと、
ｃ．コンテンツを画像処理システムに送信するステップと、
ｄ．画像処理システムからコンテンツを配布するステップと、を含む方法。
５．条項４の方法において、コンテンツは、レンズを通じて取得された取得コンテンツ及び別の医療装置から受け取られた受信コンテンツを含む。
６．条項４の方法において、コンテンツの取得は、対象者の信号を受け取るステップを含む。
７．条項４の方法において、コンテンツの受け取りは、１又はそれ以上のモニタ装置からモニタ情報を受け取るステップを含む。
８．条項７の方法において、モニタ情報は、無線ルーペディスプレイ上に表示される。
９．条項７の方法において、モニタ情報は患者統計を含む。
１０．条項４の方法において、コンテンツの取得は、ハーフミラーを使用してコンテンツを分割するステップを含み、コンテンツの第１の部分は、人が視認可能であり、コンテンツの第２の部分は、センサにより捕捉される。
１１．条項４の方法において、コンテンツの受け取りは、医療装置から受け取ったコンテンツを表示するステップと、ハーフミラーを使用してコンテンツを分割するステップとを含み、コンテンツの第１の部分は、人が視認可能であり、コンテンツの第２の部分は、センサにより捕捉される。
１２．条項４の方法において、画像処理システムはコンテンツを記録する。
１３．条項４の方法において、送信するステップは無線で実行される。
１４．条項４の方法において、コンテンツを配布するステップは、コンテンツを教育目的でスクリーンに送るステップを含む。
１５．無線ルーペ装置であって、
ａ．レンズと、
ｂ．レンズから受け取った情報を第１の部分と第２の部分に分割して、第１の部分がユーザの眼の方に進み、第２の部分がセンサの方に進むようにするハーフミラーと、
ｃ．センサにおいて取得した情報を送信するための無線通信要素と、を含む無線ルーペ装置。
１６．条項１５の無線ルーペ装置において、ハーフミラーは、半透明のミラー技術を含む。
１７．条項１５の無線ルーペ装置は、ディスプレイ上の患者情報を投影するための投影系をさらに備え、患者情報は、ハーフミラーにより分割されて、ユーザの眼の方に反射されるとともにセンサにおいて受け取られる。
１８．無線ルーペシステムであって、
ａ．第１のコンテンツを取得し、第２のコンテンツを受け取って、第１のコンテンツ及び第２のコンテンツを送信するための無線ルーペ装置を備え、第１のコンテンツは、無線ルーペ装置のレンズを通じて受け取られた情報を含み、第２のコンテンツは、１又はそれ以上のモニタ装置からの患者情報を含み、この無線ルーペシステムは、
ｂ．第１のコンテンツ及び第２のコンテンツを受け取るための結像系をさらに備える、無線ルーペシステム。
１９．条項１８の無線ルーペシステムにおいて、結像系は、第１のコンテンツ及び第２のコンテンツをさらに処理して記憶する。
２０．条項１８の無線ルーペシステムは、第１のコンテンツ及び第２のコンテンツを医療記録装置に配布するための内部ネットワークをさらに備える。
２１．条項１８の無線ルーペシステムは、第１のコンテンツ及び第２のコンテンツを１又はそれ以上の外部スクリーンに配布するための外部ネットワークをさらに備える。
２２．条項１８の無線ルーペシステムにおいて、無線ルーペ装置は、レンズ越しのビュー及び患者情報を表示する。
【００３３】
本発明の構成及び動作の原理の容易に理解できるように、詳細を含む特定の実施形態に関して本発明を説明した。このような本明細書における特定の実施形態及びこれらの実施形態の詳細に対する参照は、本明細書に添付する特許請求の範囲を限定するように意図したものではない。当業者には、例示目的で選択した実施形態において、特許請求の範囲により定義される本発明の思想及び範囲から逸脱することなく、他の様々な修正を行えることが容易に明らかになるであろう。
【図９】
2014104365.tif 000003
【図１０】
2014104365.tif 000004
【図１１】
2014104365.tif 000005
【図１】
2014104365.tif 000006
【図２】
2014104365.tif 000007
【図３】
2014104365.tif 000008
【図４】
2014104365.tif 000009
【図５】
2014104365.tif 000010
【図６】
2014104365.tif 000011
【図７】
2014104365.tif 000012
【図８】
2014104365.tif 000013
【外国語明細書】
2014104365000001.pdf